(57)【要約】【課題】  簡単な構造によって深爪の防止をすることができる新規な深爪防止爪切りを提供することを目的とする。【解決手段】  一方の刃１の前方に深爪防止用突部７を設けてあることを特徴とする。【選択図】図１２
2013150736.tif 000002
【特許請求の範囲】
【請求項１】
一方の刃の前方に深爪防止用突部を設けてあることを特徴とする深爪防止用爪切り。
【請求項２】
一方の刃の前方に突部を設け、この突部に深爪防止用キャップを着脱自在に設けてあることを特徴とする上記請求項１に記載の深爪防止用爪切り。
【請求項３】
上記突部に係止凹部を形成し、深爪防止用キャップの内側に係止突起を設け、該係止突起が係止凹部と係合し、深爪防止用キャップが上記突部から外れ難くしてあることを特徴とする上記請求項２に記載の深爪防止用爪切り。
【請求項４】
上記深爪防止用キャップにその爪の内側に当てる寸法の相違する複数の深爪防止用キャップを用意し、適宜の深爪防止用キャップを選択して上記突部に着脱自在にしてあることを特徴とする上記請求項２又は３に記載の深爪防止用爪切り。
【請求項５】
一方の刃の前方に、前方に突出する突起を設け、この突起に、この突起に嵌合する凹部を設けた深爪防止用突部を着脱自在に設けてあることを特徴とする上記請求項１に記載の深爪防止用爪切り。
【請求項６】
上記深爪防止用突部にその爪の内側に当てる寸法の相違する複数の深爪防止用突部を用意し、適宜の深爪防止用突部を選択して上記突起に着脱自在にしてあることを特徴とする上記請求項５に記載の深爪防止用爪切り。
【請求項７】
一方の刃を先端に設けた基材の下部に前後にスライド自在としたスライダーを設け、このスライダーの前端に上向きに突出する深爪防止用突部を設けたことを特徴とする上記請求項１に記載の深爪防止用爪切り。
【請求項８】
上記スライダーの位置を調節して、その先端の深爪防止用突部の爪の内側に当てる寸法を調節することを特徴とする上記請求項７に記載の深爪防止用爪切り。
【請求項９】
上記一方の刃の前方に深爪防止用突部を固定して設けてあることを特徴とする上記請求項１に記載の深爪防止用爪切り。
【発明の詳細な説明】
【技術分野】
【０００１】
本発明は、爪切りに関し、特に深爪を防止する新規な深爪防止爪切りに関する。
【背景技術】
【０００２】
爪切りは一対の刃を合わせて爪を切断するクリップ型爪切りが一般的である。この爪切りを使用して爪を切る場合は、一般的に下刃と云われる一方の刃を爪の内側に当てて、一般的に上刃と云われる他方の刃を上記一方の刃に向けて弾圧することにより一方の刃を他方の刃に合わせて爪を切断する。
この爪切りにより爪を切断するため、一方の刃を爪の内側に当てる際、一方の刃を爪の深い位置に当てて切断すると深爪になり、痛みを伴うことがある。この深爪を防止する爪切りは従前存在しなかった。
【発明の概要】
【発明が解決しようとする課題】
【０００３】
本発明は、簡単な構造によって深爪の防止をすることができる新規な深爪防止爪切りを提供することを目的とする。
【課題を解決するための手段】
【０００４】
そのため、本発明の深爪防止爪切りは、一方の刃の前方に深爪防止用突部を設けてあることを特徴とする。
また、本発明の深爪防止爪切りは、一方の刃の前方に突部を設け、この突部に深爪防止用キャップを着脱自在に設けてあることを特徴とする。
さらに、本発明の深爪防止爪切りは、上記突部に係止凹部を形成し、深爪防止用キャップの内側に係止突起を設け、該係止突起が係止凹部と係合し、深爪防止用キャップが上記突部から外れ難くしてあることを特徴とする
また、本発明の深爪防止爪切りは、上記深爪防止用キャップにその爪の内側に当てる寸法の相違する複数の深爪防止用キャップを用意し、適宜の深爪防止用キャップを選択して上記突部に着脱自在にしてあることを特徴とする
【０００５】
さらに、本発明の深爪防止爪切りは、一方の刃の前方に、前方に突出する突起を設け、この突起に、この突起に嵌合する凹部を設けた深爪防止用突部を着脱自在に設けてあることを特徴とする。
また、本発明の深爪防止爪切りは、上記深爪防止用突部にその爪の内側に当てる寸法の相違する複数の深爪防止用突部を用意し、適宜の深爪防止用突部を選択して上記突起に着脱自在にしてあることを特徴とする。
【０００６】
さらに、本発明の深爪防止爪切りは、一方の刃を先端に設けた基材の下部に前後にスライド自在としたスライダーを設け、このスライダーの前端に上向きに突出する深爪防止用突部を設けたことを特徴とする。
また、本発明の深爪防止爪切りは、上記スライダーの位置を調節して、その先端の深爪防止用突部の爪の内側に当てる寸法を調節することを特徴とする
さらに、本発明の深爪防止爪切りは、上記一方の刃の前方に深爪防止用突部を固定して設けてあることを特徴とする。
【発明の効果】
【０００７】
本発明の深爪防止爪切りは、一方の刃の前方に深爪防止用突部を設けてあることを特徴とするから、爪を切る際に、爪の内側に深爪防止用突部を当てて、一方の刃が爪の深い部位に当たるおそれなく、深爪をすることがない効果がある。
【０００８】
また、本発明の深爪防止爪切りは、爪の内側に深爪防止用突部を当てるから、利き腕でない方の手を使っても深爪することなく、爪を上手に切ることができる効果がある。
さらに、本発明の深爪防止爪切りは、女性がある程度爪を伸ばしてネイルアートなど、爪のおしゃれをする場合にあっても、両手の爪を同じ長さに簡単に切断できる効果等もある。
加えて、本発明の深爪防止爪切りは、目の不自由な人でも、手先の不自由な人でも、お年寄りでも安心して爪を切ることができる。
【図面の簡単な説明】
【０００９】
【図１】本発明の深爪防止爪切りの好ましい実施例を示す斜視図である。
【図２】図１に図示した実施例の要部を拡大して示す斜視図である。
【図３】図２に示した要部の側面図である。
【図４】図３に示した要部の断面図である。
【図５】ａ，ｂ，ｃとして複数の深爪防止用キャップを示してある。
【図６】本発明の深爪防止爪切りの別の実施例を示す斜視図である。
【図７】図６に図示した別の実施例の要部を拡大して示す斜視図である。
【図８】図６に図示した別の実施例の要部の断面図である。
【図９】ａ，ｂ，ｃとして複数の深爪防止用突部を示してある。
【図１０】本発明の深爪防止爪切りのさらに別の実施例を示す斜視図である。
【図１１】図１０に図示した実施例の要部の斜視図で、深爪防止用突部の異なる位置を点線で示してある。
【図１２】本発明の深爪防止爪切りの基本的な実施例の斜視図である。
【図１３】図１２に図示した基本的な実施例の要部を拡大して示す斜視図である。
【発明を実施するための形態】
【００１０】
図面に示した種々の実施例により本発明の詳細を説明する。
図示した実施例は、全て最も一般的なクリップ型爪切りが示してある。このクリップ型爪切りは、先端に下刃と云われる一方の刃１を設けた細長い基材２の上部に同じく細長い上材３を前方が上方に弾圧されて設けてあり、この上材３の先端に上刃と云われる他方の刃４が設けてある。
基材２の一方の刃１に近い位置に案内柱６を起立してあり、上材３に形成した透孔（図示せず）に該案内柱６を貫通する。
図中符号５が操作アームで同じく細長い形状をしており、この操作アーム５を押し下げ操作することにより上材３の先端を押し下げ、他方の刃４を一方の刃１に合わせ、この一方の刃１と他方の刃４との間に挟んで爪を切断する。
【実施例１】
【００１１】
図１２及び図１３に本発明深爪防止爪切りの最も基本的な実施例を示してある。この実施例では基材２の先端の一方の刃１よりさらに基材２を前方に延長し、この延長部に深爪防止用突部７を一体に固定して設けてある。この深爪防止用突部７は一方の歯より僅かな寸法を離して設けてある。即ち、この爪切りで爪を切断する際、深爪防止用突部７が爪の内側に当たるから、一方の刃が爪の深い位置に当たることなく、深爪をすることがない。
【実施例２】
【００１２】
図１乃至図５に本発明深爪防止爪切りの好ましい実施例を示してある。この実施例は基材２の先端の一方の刃よりさらに基材２を前方に延長し、この延長部に突部８を設け、この突部８に深爪防止用キャップ９を着脱自在に設けてある。
上記突部８の表面に係止凹部１０を形成し、深爪防止用キャップ９の内側に係止突起１１を設け、この係止突起１１が係止凹部１０に係合し、深爪防止用キャップ９が突部８から外れ難くしてある。
上記深爪防止用キャップ９は、図５のａ，ｂ，ｃで示すように厚さが相違する複数の深爪防止用キャップ９を用意し、この深爪防止用キャップ９を選択して使用することにより爪の切断位置を調節することができるようにしてある。
【実施例３】
【００１３】
図６乃至図９に本発明深爪防止爪切りの別の実施例を示してある。この実施例は、基材２の先端に一方の刃の前方に、前方に突出する突起１２を設け、この突起１２に、この突起１２に嵌合する凹部１３を設けた深爪防止用突部１４を着脱自在に設けてある。
上記深爪防止用突部１４は、図９のａ，ｂ，ｃで示すように、凹部１３の深さの寸法が相違する複数の深爪防止用突部１４を用意し、この深爪防止用突部１４を選択して上記突起１２に着脱自在にしてある。即ち、この深爪防止用突部１４を選択して使用することにより、爪の切断位置を調節することができる。
【実施例４】
【００１４】
図１０及び図１１に本発明深爪防止爪切りの更に別の実施例を示してある。この実施例は、基材２の下部に前後にスライド自在とするスライダー１５を設け、このスライダー１５の先端に上向きに突出する深爪防止用突部１６を設けてある。この深爪防止用突部１６は、図１１の点線で示す通り、スライダー１５の前後移動により位置が決定され、爪の切断位置を調節することができる。
【符号の説明】
【００１５】
１  一方の刃
２  基材
３  上材
４  他方の刃
５  操作アーム
６  案内柱
７  深爪防止用突部
８  突部
９  深爪防止用キャップ
１０  係止凹部
１１  係止突起
１２  突起
１３  凹部
１４  深爪防止用突部
１５  スライダー
１６  深爪防止用突部
【図１】
2013150736.tif 000003
【図２】
2013150736.tif 000004
【図３】
2013150736.tif 000005
【図４】
2013150736.tif 000006
【図５】
2013150736.tif 000007
【図６】
2013150736.tif 000008
【図７】
2013150736.tif 000009
【図８】
2013150736.tif 000010
【図９】
2013150736.tif 000011
【図１０】
2013150736.tif 000012
【図１１】
2013150736.tif 000013
【図１２】
2013150736.tif 000014
【図１３】
2013150736.tif 000015